(57)【要約】【課題】様々な環境下に柔軟に対応しつつ良好な表示出力結果の視認性を実現する。【解決手段】光透過量または発光量を可変可能な表示素子を複数備える表示装置において、色フィルタで覆われる第一の表示素子１１０Ａ−１と、色フィルタで覆われないまたは前記第一の表示素子１１０Ａ−１における色フィルタより光透過率が高い色フィルタで覆われる第二の表示素子１１０Ａ−２とを、並べて配設して一画素分の画素領域１１を構成するとともに、前記第一の表示素子１１０Ａ−１における光透過量または発光量の可変と、前記第二の表示素子１１０Ａ−２における光透過量または発光量の可変とを、それぞれ別個に制御する駆動手段を備える。【選択図】図２
2008287068.tif 000002
【特許請求の範囲】
【請求項１】
光透過量または発光量を可変可能な表示素子を複数備える表示装置において、
色フィルタで覆われる第一の表示素子と、色フィルタで覆われないまたは前記第一の表示素子における色フィルタより光透過率が高い色フィルタで覆われる第二の表示素子とを、並べて配設して一画素分の画素領域を構成するとともに、
前記第一の表示素子における光透過量または発光量の可変と、前記第二の表示素子における光透過量または発光量の可変とを、それぞれ別個に制御する駆動手段を備える
ことを特徴とする表示装置。
【請求項２】
前記第二の表示素子における光透過量または発光量を可変させて、前記一画素分の画素領域における輝度または色再現範囲の大きさを調整するように構成されている
ことを特徴とする請求項１記載の表示装置。
【請求項３】
外光の光量を検知する検知手段と、
前記検知手段による検知結果に基づいて前記第二の表示素子における光透過量または発光量を可変させる制御手段と
を備えることを特徴とする請求項２記載の表示装置。
【請求項４】
前記表示素子および前記検知手段が、同一の薄膜トランジスタ基板上に形成されている
ことを特徴とする請求項３記載の表示装置。
【請求項５】
前記第一の表示素子と前記第二の表示素子とが時分割で駆動される
ことを特徴とする請求項１記載の表示装置。
【請求項６】
前記第一の表示素子と前記第二の表示素子とが画素領域の垂直方向に並んで配設され、それぞれに対応して設けられた二系統の垂直駆動回路によって個別に駆動される
ことを特徴とする請求項１記載の表示装置。
【請求項７】
光透過量または発光量を可変可能な表示素子を複数備える表示装置において、
互いに異なる色成分の色フィルタで覆われる複数の第一の表示素子と、色フィルタで覆われないまたは前記第一の表示素子における各色フィルタより光透過率が高い色フィルタで覆われる第二の表示素子とを、並べて配設して一つの絵素領域を構成するとともに、
前記第一の表示素子における光透過量または発光量の可変と、前記第二の表示素子における光透過量または発光量の可変とを、それぞれ別個に制御する駆動手段を備える
ことを特徴とする表示装置。
【発明の詳細な説明】
【技術分野】
【０００１】
本発明は、液晶表示装置等の表示装置に関する。
【背景技術】
【０００２】
近年、液晶表示装置は、薄型で低消費電力であるという特徴を生かして、ワードプロセッサやパーソナルコンピュータ等の電子機器や、携帯電話機や携帯情報端末等のいわゆるモバイル機器や、液晶モニタを備えたカメラ一体型ＶＴＲ機等において、広く用いられている。このような液晶表示装置には、画素電極にＩＴＯ（Indium Tin Oxide）等の透明導電性薄膜を用いた透過型の液晶表示装置と、画素電極に金属等の反射電極を用いた反射型の液晶表示装置とがある。また、最近では、液晶セル内に反射板を持つ半透過型の液晶表示装置もあり、特にモバイル機器では主流になっている。
【０００３】
また、液晶表示装置の中には、色純度の高いカラーフィルタ層を通過した出射光とカラーフィルタ層が形成されていない領域を通過した出射光とを混色することにより、明るいカラー表示を実現するように構成されたものもある（例えば、特許文献１参照）。周囲の明るさにさほど影響されることなく、明るくて高コントラストを有する表示を行うことを可能にするためである。
【０００４】
【特許文献１】特許第３３３５１３０号公報
【発明の開示】
【発明が解決しようとする課題】
【０００５】
ところで、モバイル機器やカメラ一体型ＶＴＲ等は様々な環境下（屋外または屋内、晴天下または雨天下等）で利用されることが一般的であるため、これらの機器に用いられる液晶表示装置では、様々な環境下に柔軟に対応しつつ、良好な表示出力結果の視認性を実現することが必要である。例えば、屋内のように外光の影響が小さい環境下では、色再現範囲の大きさが広く高コントラストの表示出力を実現しつつ、屋外のように外光の影響が大きい環境下では、当該外光の表面反射等の影響で色再現範囲が極端に落ちてしまうのを回避することが望まれる。
【０００６】
そこで、本発明は、色再現範囲の大きさと輝度レベルを適宜変化させることを可能にすることで、様々な環境下に柔軟に対応しつつ良好な表示出力結果の視認性を実現することのできる表示装置を提供することを目的とする。
【課題を解決するための手段】
【０００７】
本発明は、上記目的を達成するために案出された表示装置である。すなわち、光透過量または発光量を可変可能な表示素子を複数備える表示装置において、色フィルタで覆われる第一の表示素子と、色フィルタで覆われないまたは前記第一の表示素子における色フィルタより光透過率が高い色フィルタで覆われる第二の表示素子とを、並べて配設して一画素分の画素領域を構成するとともに、前記第一の表示素子における光透過量または発光量の可変と、前記第二の表示素子における光透過量または発光量の可変とを、それぞれ別個に制御する駆動手段を備えることを特徴とする。
【０００８】
上記構成の表示装置では、一画素分の画素領域に第一の表示素子と第二の表示素子とが存在しているので、例えば第二の表示素子が光を出射する状態にあれば、第一の表示素子からの出射光との昆色が発生し、これにより当該一画素分の画素領域における輝度レベルが向上することになる。また、例えば第二の表示素子が光を出射する状態になければ、第一の表示素子からの出射光との昆色が生じないので、当該一画素分の画素領域から得られる色再現範囲の大きさは、第一の表示素子を覆う色フィルタによって特定されることになる。しかも、第二の表示素子が光を出射する状態にあるか否か、すなわち第二の表示素子における光透過量または発光量の可変は、第一の表示素子とは別個に制御される。したがって、第一の表示素子が光を出射する状態にある場合に、あるときは第二の表示素子に光を出射させ、またあるときは第二の表示素子に光を出射させないようにする、といったことが実現可能である。つまり、第一の表示素子とは別個に第二の表示素子での光出射を制御することで、色再現範囲の大きさと輝度レベルを適宜変化させ得るのである。
【発明の効果】
【０００９】
上述したように、本発明によれば、色再現範囲の大きさと輝度レベルを適宜変化させることが可能になるので、様々な環境下に柔軟に対応しつつ、良好な表示出力結果の視認性を実現することができる。
【発明を実施するための最良の形態】
【００１０】
以下、図面に基づき本発明に係る表示装置について説明する。
【００１１】
〔表示装置の概略構成〕
先ず、はじめに、表示装置の概略構成について、フリンジフィールドスイッチング（Fringe field switching、以下「ＦＦＳ」と略す）モードの液晶表示装置を例に挙げて説明する。
【００１２】
図１は、ＦＦＳモードの液晶表示装置の概略構成を示す説明図である。
図例の液晶表示装置は、いわゆる透過型のものであり、第１基板１１０と、この第１基板１１０の素子形成面側に対向配置された第２基板１２０と、これらの第１基板１１０と第２基板１２０との間に狭持された液晶層１３０と、からなる液晶パネルを備えている。液晶層３０は、ネマチック液晶で構成することが考えられる。また、この液晶パネルにおいて、第１基板１１０および第２基板１２０の外側面には、偏光板１４０，１５０が密着状態で設けられている。これらの偏光板１４０，１５０は、クロスニコル状態で設けることが考えられる。また、第１基板１１０側の偏光板１４０のさらに外側には、透過表示を行うための光源となるバックライト（図示省略）が設けられている。
【００１３】
このうち第１基板１１０は、ガラス基板のような透明基板からなり、その液晶層１３０に向かう面上に、マトリクス状に配置された複数の走査線１１１および複数の信号線１１２を備えている。走査線１１１および信号線１１２の構成材料としては、アルミニウム（Ａｌ）、モリブデン（Ｍｏ）、クロム（Ｃｒ）、タングステン（Ｗ）、チタン（Ｔｉ）、鉛（Ｐｂ）、またはこれらの複合層(etc,Ｔｉ／Ａｌ)もしくは金属化合物層（ＭｏＳｉ，ＡｌＳｉ）が挙げられる。また、この走査線１１１と信号線１１２の各交差部には、各画素を駆動するための例えばボトムゲート型の薄膜トランジスタ（Thin Film Transistor、以下「ＴＦＴ」と略す）１からなる駆動素子が設けられている。そして、走査線１１１と信号線１１２で囲まれた領域が、一つの表示素子としての領域（以下、単に「素子領域」という）１１０Ａを構成することになる。
【００１４】
走査線１１１とこれに隣り合う他の走査線１１１との間には、走査線１１１と平行に共通電位線１１３が設けられている。そして、同一面上の素子領域１１０Ａにおいて、ＴＦＴ１の形成領域を除く領域には、共通電位線１１３と一端側が重なる状態で、共通電極１１４が設けられている。この共通電極１１４は、走査線１１１と同一面で設けられるため、走査線１１１によりその配置が制限される。
【００１５】
ＴＦＴ１のゲート電極２は、走査線１１１の一部で構成されている。そして、走査線１１１、共通電位線１１３、共通電極１１４を覆う状態で、第１基板１１０上には、ゲート絶縁膜３が設けられている。さらに、ゲート電極２を覆うゲート絶縁膜３上には、半導体層４がパターン形成されている。
【００１６】
半導体層４は、例えばアモルファスシリコン（ａ−Ｓｉ）、ポリシリコン（Ｐｏｌｙ−Ｓｉ）または単結晶シリコンで構成されており、ゲート電極２の直上をチャネル層４ａとし、その両側にｎ型不純物を含むソース領域４ｂとドレイン領域４ｃが設けられている。ソース領域４ｂ上には、ソース領域４ｂと接続する状態でソース電極６ａが配置され、このソース電極６ａは信号線１１２と接続されている。また、ドレイン領域４ｃ上には、ドレイン領域４ｃと接続する状態でドレイン電極６ｂが配置されている。以上のようにＴＦＴ１が構成される。
【００１７】
また、ＴＦＴ１を覆う状態で、ゲート絶縁膜３上には、層間絶縁膜１１５が設けられている。この層間絶縁膜１１５には、ＴＦＴ１のドレイン電極６ｂに達する状態のコンタクトホール１１５ａが設けられている。さらに、層間絶縁膜１１５上には、このコンタクトホール１１５ａを介してＴＦＴ１に接続された複数のスリット１１６ａを有する画素電極１１６が設けられている。このスリット１１６ａは、走査線１１１と平行に設けられている。また、画素電極１１６を覆う状態で、層間絶縁膜１１５上には、配向膜１１７が配置されている。
【００１８】
そして、スリット１１６ａを挟んで設けられた画素電極１１６の電極部の端部と共通電極１１４との間に電界が生じることで、基板面に略平行な横電界が液晶層１３０に対して印加される。
【００１９】
一方、第２基板１２０は、ガラス基板のような透明基板からなる。この第２基板１２０の液晶層１３０に向かう面には、色フィルタ１２１と配向膜１２２がこの順に設けられている。
【００２０】
色フィルタ１２１は、カラー表示を行うために配設されるもので、Ｒ（赤）、Ｇ（緑）、Ｂ（青）の各色成分のいずれかに対応するものが、各素子領域１１０Ａ別に配されている。ただし、色フィルタ１２１は、全ての素子領域１１０Ａに対して一様に配されているのではなく、詳細を後述するように配設されているものとする。
【００２１】
〔表示装置の要部構成例〕
次に、本発明が適用されたＦＦＳモードの液晶表示装置の要部構成を説明する。
【００２２】
図２は、本発明が適用された液晶表示装置の要部構成例を示す説明図である。
図例の液晶表示装置では、複数の素子領域１１０Ａがマトリクス状に配列されて画像表示領域１０を構成している。このことは、各素子領域１１０ＡのそれぞれにＴＦＴ１が配設されていることから、画像表示領域１０が複数の液晶表示素子を備えて構成されることを意味する。
【００２３】
また、画像表示領域１０では、並んで配されている二つの素子領域１１０Ａが対となり、これらの二つの素子領域１１０Ａによって一画素分の画素領域１１が構成されるようになっている。具体的には、マトリクス状配列における垂直方向（図中の上下方向）に並ぶ二つの素子領域１１０Ａが、一画素分の画素領域１１を構成する。ただし、並び方向は、必ずしも垂直方向である必要はなく、後述するような独立した駆動制御が可能であれば、水平方向（図中の左右方向）であってもよい。
【００２４】
一画素分の画素領域１１を構成する二つの素子領域１１０Ａのうち、一方の素子領域１１０Ａ−１には、Ｒ（赤）、Ｇ（緑）、Ｂ（青）の各色成分のいずれかに対応する色フィルタ１２１が配設されている。したがって、当該素子領域１１０Ａ−１におけるＴＦＴ１を含んで構成される液晶表示素子は、色フィルタ１２１によって覆われることになる。以下、色フィルタ１２１が配設されている素子領域１１０Ａ−１を「第一の素子領域」といい、その第一の素子領域に形成されている液晶表示素子を「第一の液晶表示素子」という。
【００２５】
その一方で、一画素分の画素領域１１を構成する二つの素子領域１１０Ａのうち、他方の素子領域１１０Ａ−２には、色フィルタ１２１が配設されていない。または、第一の素子領域１１０Ａ−１における色フィルタ１２１と同色系で、かつ、当該色フィルタ１２１より光透過率が高い色フィルタが配設されているものとする。光透過率が高い色フィルタは、例えば第一の素子領域１１０Ａ−１における色フィルタ１２１の膜厚を薄くすることによって形成すればよい。以下、色フィルタで覆われない、または第一の素子領域１１０Ａ−１における色フィルタ１２１より光透過率が高い色フィルタで覆われる素子領域１１０Ａ−２を「第二の素子領域」といい、その第二の素子領域に形成されている液晶表示素子を「第二の液晶表示素子」という。
【００２６】
これら第一の素子領域１１０Ａ−１および第二の素子領域１１０Ａ−２には、いずれも、ＴＦＴ１が配設されている。そして、各ＴＦＴ１には、それぞれ別の走査線１１が接続している。このことは、第一の液晶表示素子および第二の液晶表示素子が、それぞれ独立した駆動手段を持っていること、すなわちそれぞれが独立して駆動され得ることを意味する。
【００２７】
第一の液晶表示素子および第二の液晶表示素子に対する駆動は、以下に述べるようにして行うことが考えられる。
【００２８】
例えば、一つの液晶表示素子が一画素分の画素領域を構成する一般的な液晶表示装置における駆動周波数に比べて、二倍速で駆動することが可能な駆動周波数を用意する。そして、その二倍速の駆動周波数に同期しつつ、第一の液晶表示素子に対する信号書き込みと、第二の液晶表示素子に対する信号書き込みとを、それぞれ順に行うようにする。つまり、二倍速の駆動周波数を用いて、第一の液晶表示素子と第二の液晶表示素子とを時分割で駆動するのである。このようにすれば、画像表示領域１０の全体での動作速度低下を招くことなく、第一の液晶表示素子と第二の液晶表示素子とを、それぞれ独立して駆動することが可能である。
【００２９】
また、第一の液晶表示素子と第二の液晶表示素子とがマトリクス状配列における垂直方向に並んで配されていることから、それぞれに対応して設けられた二系統の垂直駆動回路（ドライバ回路）を用意する。そして、第一の液晶表示素子に対応して設けられたドライバ回路が当該第一の液晶表示素子をライン駆動し、第二の液晶表示素子に対応して設けられたドライバ回路が当該第二の液晶表示素子をライン駆動する。このようにした場合には、画像表示領域１０の全体での動作速度低下を招くことなく、また一般的な液晶表示装置における駆動周波数を上げる必要もなく、第一の液晶表示素子と第二の液晶表示素子とを、それぞれ独立して駆動することが可能である。なお、この場合は、ドライバ回路数の増加を招くことになるが、低温ポリシリコン等の公知技術を用いれば、液晶パネル内にドライバ回路を作り込むことは容易に実現可能であるため、これにより液晶表示装置全体の大型化や構成複雑化等については極力抑制することができる。
【００３０】
以上のように構成された液晶表示装置では、第一の素子領域１１０Ａ−１と第二の素子領域１１０Ａ−２とのよって一画素分の画素領域１１が構成され、その一画素分の画素領域１１内に第一の液晶表示素子と第二の液晶表示素子とが存在していることになる。したがって、例えば第二の液晶表示素子が光を出射する状態にあれば、第一の液晶表示素子からの出射光との昆色が発生し、これにより当該一画素分の画素領域１１における輝度レベルが向上することになる。また、例えば第二の液晶表示素子が光を出射する状態になければ、第一の液晶表示素子からの出射光との昆色が生じないので、当該一画素分の画素領域１１から得られる色再現範囲の大きさは、第一の液晶表示素子を覆う色フィルタ１２１によって特定されることになる。
【００３１】
しかも、第一の液晶表示素子と第二の液晶表示素子とはそれぞれ独立して駆動されるので、第二の液晶表示素子が光を出射する状態にあるか否か、すなわち第二の液晶表示素子における光透過量の可変は、第一の液晶表示素子とは別個に制御されることになる。したがって、第一の液晶表示素子が光を出射する状態にある場合に、あるときは第二の液晶表示素子に光を出射させ、またあるときは第二の液晶表示素子に光を出射させないようにする、といったことが実現可能となる。
【００３２】
つまり、第二の液晶表示素子における光透過量を可変させることで、第一の液晶表示素子とは別個に第二の液晶表示素子での光出射を制御することが可能となり、これにより一画素分の画素領域１１における輝度または色再現範囲の大きさを調整することが可能となるのである。さらに具体的には、色再現範囲より輝度レベルが重視される場合には、第一の液晶表示素子と第二の液晶表示素子とを合わせて駆動する一方で、輝度レベルより色再現範囲が重視される場合には、第二の液晶表示素子が光出射を行わないようにする、といったことが実現可能となり、これにより輝度レベルまたは色再現範囲の大きさを必要に応じて適宜変換できるのである。
【００３３】
このことは、液晶表示装置がモバイル機器にて用いられる場合に、特に有効である。
例えば、テレビ画面のように色再現性の高い画像表示を行う場合には、色フィルタ１２１を濃くして色再現範囲を大きく確保することが考えられる。しかしながら、その画像表示を屋外で行うときには、外光の表面反射等の影響で色再現範囲が極端に落ちてしまうおそれがある。すなわち、太陽光下で外光反射が非常に強い場合には、コントラストの低下により色再現が大幅に下がり、色フィルタ１２１を濃くすることで実現した色再現が無意味になることが懸念される。この点については、例えばバックライトの光量を増大させて、これにより画像表示の輝度を向上させて対応することも考えられるが、消費電力の観点から現実的ではない。
ところが、上述した構成の液晶表示装置では、例えば第二の液晶表示素子に光を出射させ、第一の液晶表示素子からの出射光との昆色を発生させることにより、消費電力を変化させずに輝度レベルが向上させることが可能になる。したがって、モバイル機器にて用いられる場合であっても、第二の液晶表示素子での光出射を制御することで、輝度レベルを重視した画像表示を行ったり、あるいは輝度レベルより色再現範囲を重視した画像表示を行ったりすることができる。
また、例えば、携帯電話機等にて用いられる場合であれば、省電力モードとして、色再現範囲を落としてバックライトの輝度を下げる等の用途にも非常に有効である。
【００３４】
図３は、外光反射によるＮＴＳＣ比の低減の一具体例を示す説明図である。
図例のように、ＮＴＳＣ比は、例えば太陽光下での環境状態のように、外光反射が非常に強いと、低減することがわかる。
ここで、ＮＴＳＣとは、National Television System Committeeの略であり、カラーテレビ放送方式の一つのことをいう。また、ＮＴＳＣ比〇〇％とは、ＮＴＳＣ規格で規定されているＸＹ色度域に対する色再現範囲を面積比で表したものをいう。
【００３５】
図４は、本発明が適用された液晶表示装置におけるＮＴＳＣ比の一具体例を示す説明図である。図例では、三画素分の画素領域１１において、それぞれにおける第一の液晶表示素子がＲ、Ｇ、Ｂの各色成分に対応した光を出射する場合を示している。
例えば図４（ａ）に示すように、第二の液晶表示素子が光を出射せず、その部分が黒色に相当する場合には、各画素領域１１における第一の液晶表示素子による光出射により、ＮＴＳＣ比７０％程度が確保され、その場合の輝度レベルが２５０ｃｄ／ｍ2程度となる。
これに対して、例えば図４（ｃ）に示すように、第二の液晶表示素子が白色光を出射する場合には、ＮＴＳＣ比２０％程度となり、その場合の輝度レベルが５００ｃｄ／ｍ2程度となる。
また、第二の液晶表示素子には、中間調の光を出射させることも考えられる。例えば図４（ｂ）に示すように、第二の液晶表示素子が灰色に相当する光を出射する場合には、ＮＴＳＣ比４５％程度となり、その場合の輝度レベルが３５０ｃｄ／ｍ2程度となる。
【００３６】
このように、第一の液晶表示素子と第二の液晶表示素子に対しては原則として同じ信号が書き込まれるが高色再現範囲表示が必要な場合は第二の液晶表示素子が常に黒表示を行うようにし、高色再現範囲表示の必要がない場合には第二の液晶表示素子に第一の液晶表示素子と同じ信号を書き込むことで、画像表示領域１０の全体の輝度が大幅に上昇する。仮に、１:１の面積比で第一の素子領域と第二の素子領域を配設した場合には、輝度レベルを２倍程度まで明るくすることができる。さらに、輝度レベルの最大値を、ある割合分だけ小さくした信号（例えば灰色相当）を、第二の液晶表示素子に対して与えることで、色再現範囲と輝度レベルを任意に変化させることも実現可能である。
また、高輝度モードと高色再現モードとをの二状態を切り替える場合には、高輝度表示時には第一の液晶表示素子と第二の液晶表示素子に対して同時にＴＦＴのゲートラインを開けて信号書き込みを行い、高色再現範囲表示時は信号書き込み時間を減らして黒色に相当する信号書き込むことで、駆動周波数を下げて駆動することも可能になる。
【００３７】
〔表示装置の他の要部構成例〕
次に、本発明が適用されたＦＦＳモードの液晶表示装置の他の要部構成を説明する。
【００３８】
図５は、本発明が適用された液晶表示装置の他の要部構成例を示す説明図である。
図例の液晶表示装置では、上述した構成例（図２参照）に加えて、画像表示領域１０に対する外光（図中矢印Ａ参照）の光量を検知する検知手段１３と、その検知手段１３による検知結果に基づいて第二の液晶表示素子の駆動を制御する制御手段（ただし不図示）とを備えている。
【００３９】
検知手段１３としては、例えば外光を感知して電気的な信号に変換するフォトセンサが挙げられる。また、検知手段１３は、第一の液晶表示素子および第二の液晶表示素子と同一のＴＦＴ基板上に形成することが考えられる。その場合には、第一の液晶表示素子または第二の液晶表示素子を駆動するＴＦＴ１と同一プロセスで形成することができる。
【００４０】
また、制御手段は、検知手段１３による検知結果に応じて第二の液晶表示素子に対する駆動信号を可変させる電気回路の組み合わせからなるもので、駆動信号の可変により第二の液晶表示素子における光透過量をコントロールするためのものである。なお、制御手段を構成する電気回路自体については、公知技術を利用して実現すればよいため、ここではその説明を省略する。
【００４１】
このような構成の液晶表示装置では、検知手段１３を使うことによって、画像表示領域１０に対する外光の光量に関する情報を認識することができ、その認識結果をフィードバックすることで、色フィルタ１２１に覆われていない第二の液晶表示素子の輝度レベルを変化させることが可能となる。したがって、例えば暗い場所では第二の液晶表示素子が常に黒表示を行うようにして高色再現範囲表示を行う一方で、外光下のような明るい場所では第二の液晶表示素子に第一の液晶表示素子と同じ信号を書き込むことで画像表示領域１０の全体の輝度を大幅に上昇させて視認性を向上させるといったことを、液晶表示装置のユーザの入力なしで行うことが可能となり、当該ユーザにとっては非常に利便性の高いものとなる。
【００４２】
〔表示装置の要部構成の変形例〕
次に、本発明が適用されたＦＦＳモードの液晶表示装置の要部構成の変形例を説明する。
【００４３】
図７は、本発明が適用された液晶表示装置の要部構成の変形例を示す説明図である。
ここで例に挙げて説明する液晶表示装置では、図７（ａ）に示すように、既に説明した構成例のように一つの第一の素子領域１１０Ａ−１に対して一つの第二の素子領域１１０Ａ−２を配するのではなく、Ｒ、Ｇ、Ｂの各色成分に対応する各第一の素子領域１１０Ａ−１と、一つの第二の素子領域１１０Ａ−２とを組み合わせて、これら四つの領域によって一つの絵素領域を構成している。
なお、一つの絵素領域を構成する各素子領域の配置は、特に限定されるものではない。したがって、例えば図７（ｂ）のような配置ではなく、図７（ｃ）または図７（ｄ）に示すような配置とすることも考えられる。
【００４４】
このような構成の画像表示領域１０においても、第一の素子領域１１０Ａ−１に位置する第一の液晶表示素子と、第二の素子領域１１０Ａ−２に位置する第二の液晶表示素子とは、それぞれ別個に制御される。
具体的には、以下に述べるような駆動制御を行うことが考えられる。例えば、第二の液晶表示素子（以下、単に「白画素」という）の輝度情報をＷとした場合に、色再現範囲を落として輝度を出す割合をＡｘ％（ただし、１００％の場合に白画素を全部開口し、０％の場合に白画素を全く開口しないものとする）とすると、一つの絵素領域のＲ、Ｇ、Ｂの各輝度情報に対して白画素をあける割合は、以下に述べるような単純な掛け算で得られる。すなわち、白画素の開口率をＡｘ（０〜１００％）、一つの絵素領域におけるＲ（赤）画素の輝度情報をＲｘ、Ｇ（緑）画素の輝度情報をＧｘ、Ｂ（青）画素の輝度情報をＢｘとすると、当該一つの絵素領域における白画素の輝度情報Ｗは、Ｗ＝（Ｒｘ×Ａｘ）＋（Ｇｘ×Ａｘ）＋（Ｂｘ×Ａｘ）となる。
【００４５】
このような演算式を行う機能を持った電子回路やフレームメモリ等を外付けＩＣやパネルに実装するＩＣ（ＣＯＧ）または額縁等に作りこみ単純な計算を行うことで、画像表示領域１０における開口率を下げず、また駆動周波数を上げることもなく、色再現範囲または輝度レベルについて、良好な表示出力を簡単に行うことが可能となる。
【００４６】
なお、以上に説明したそれぞれの実施の形態は、いずれも、本発明の好適な一実施具体例に過ぎず、本発明がその内容に限定されるものではない。つまり、本発明は、その要旨を逸脱しない範囲で適宜変更することが可能である。
【００４７】
例えば、上述した実施の形態では、ＦＦＳモードの液晶表示装置に本発明を適用した場合を例に挙げたが、透過型のみならず、反射型や半透過型の液晶表示装置であっても、全く同様に本発明を適用することが可能である。
図６は、本発明を反射型の液晶表示装置に適用した場合の概念図である。
【００４８】
また、上述した実施の形態では、液晶表示装置に本発明を適用した場合を例に挙げたが、当該液晶表示装置のように透過光または反射光の透過量を可変させて画像表示を行うものではなく、例えば有機エレクトロルミネッセンス（ＥＬ）素子のような自発光タイプのものであっても、光透過量ではなく発光量を可変させることで、全く同様の表示制御を実現することが可能である。
【図面の簡単な説明】
【００４９】
【図１】ＦＦＳモードの液晶表示装置の概略構成を示す説明図である。
【図２】本発明が適用された液晶表示装置の要部構成例を示す説明図である。
【図３】外光反射によるＮＴＳＣ比の低減の一具体例を示す説明図である。
【図４】本発明が適用された液晶表示装置におけるＮＴＳＣ比の一具体例を示す説明図である。
【図５】本発明が適用された液晶表示装置の他の要部構成例を示す説明図である。
【図６】本発明を反射型の液晶表示装置に適用した場合の概念図である。
【図７】本発明が適用された液晶表示装置の要部構成の変形例を示す説明図である。
【符号の説明】
【００５０】
１０…画像表示領域、１１…画素領域、１３…検知手段、１１０Ａ−１…第一の素子領域、１１０Ａ−２…第二の素子領域、１２１…色フィルタ
【図１】
2008287068.tif 000003
【図２】
2008287068.tif 000004
【図３】
2008287068.tif 000005
【図４】
2008287068.tif 000006
【図５】
2008287068.tif 000007
【図６】
2008287068.tif 000008
【図７】
2008287068.tif 000009